(57)【要約】【課題】食品等を外気と完全に遮断して密封保存することができ、また蓋体の開閉操作も簡単に行うことができる密封式保存容器を提供する。【解決手段】容器本体１と、この容器本体１の開口部を密閉する蓋体２とからなる。また、蓋体２の下面周縁部にはシール材保持部３が垂設されており、このシール材保持部３の外周に容器本体１の開口部に密着するシール材４が装着されている。前記蓋体２には凹部５が形成され、この凹部５の底部に通気用の透孔６が設けられている。更に、この透孔６が前記凹部５の内部に収納されて透孔６を密封する状態と、凹部５の外側へ起立して透孔６を開口する状態の２態様を採るよう凹部内に回動自在に取り付けられた孔密封部材７により開閉自在とされている。【選択図】図１
0003151039.tif 000002
【実用新案登録請求の範囲】
【請求項１】
容器本体と、この容器本体の開口部を密閉する蓋体とからなり、蓋体の下面周縁部にはシール材保持部が垂設され、このシール材保持部の外周に容器本体の開口部に密着するシール材が装着された密封式保存容器であって、前記蓋体には凹部が形成され、この凹部の底部に通気用の透孔が設けられているとともに、この透孔が前記凹部の内部に収納されて透孔を密封する状態と、凹部の外側へ起立して透孔を開口する状態の２態様を採るよう凹部内に回動自在に取り付けられた孔密封部材により開閉自在とされていることを特徴とする密封式保存容器。
【請求項２】
孔密封部材の下面に、弾性材料からなり透孔に挿入されて孔を密閉する挿入片部が装着してある請求項１に記載の密封式保存容器。
【請求項３】
孔密封部材が凹部の内部に収納されて透孔を密封する状態において、凹部に指先挿入用の空間部が形成されている請求項１または２に記載の密封式保存容器。
【請求項４】
孔密封部材の先端部下面に、挿入した指先が当接する傾斜部が形成してある請求項１〜３のいずれかに記載の密封式保存容器。
【請求項５】
孔密封部材は後端部側面に設けた軸部を、凹部の側壁に設けた軸受け部に枢着させることにより回動自在としてある請求項１〜４のいずれかに記載の密封式保存容器。
【請求項６】
孔密封部材の側面前方に設けた係合用突部を、凹部の側壁に設けた垂直溝部に係合させることにより、孔密封部材を凹部の内部に収納したときに、孔密封部材が後方側へ押された状態となるよう構成されている請求項１〜５のいずれかに記載の密封式保存容器。
【考案の詳細な説明】
【技術分野】
【０００１】
本考案は、食品等を外気と完全に遮断して密封保存することができ、また蓋体の開閉操作も簡単に行うことができる密封式保存容器に関するものである。
【背景技術】
【０００２】
従来から、食品等を外気と遮断して密封保存するための密封式保存容器として、容器本体とこの容器本体の開口部を密閉する蓋体とからなり、蓋体の下面周縁部にシール材保持部が垂設され、更に、このシール材保持部の外周に前記容器本体の開口部に密着するシール材が装着されているものが一般に知られている。
【０００３】
また、保存中における外気との遮断と開蓋時における内外の通気を行うように、蓋体の天板に通気用の透孔を設け、この透孔をスライド移動式やダイヤル移動式の孔密封部材により塞ぐようにしたものや、更には、例えば特許文献１や特許文献２に示されるように、蓋体に逆止弁を設けて中を減圧状態に保持するようにしたもの等、種々のものが提案されている。
【０００４】
しかしながら、透孔をスライド移動式などの孔密封部材により塞ぐようにしたものでは、完全な気密性を保証することは難しいという問題点があった。また、特許文献１〜２に示されるものでは、逆止弁を使用するため構造が複雑化し、生産コストも高くなるという問題点あった。
【０００５】
そこで本件出願人は、透孔をシーソー式に揺動する密封部材により密封自在とした新しい構造の密封式保存容器を開発し、先に実用新案登録出願した。しかしながら、この出願に係るものでは、密封部材の揺動量が少ないため透孔の開閉状態をひと目で認識することが難しく、密封部材の開閉を誤って操作するおそれがあるという問題があった。従って、透孔の開閉状態をもっと認識しやすい密封部材の開発が必要になった。
【先行技術文献】
【特許文献】
【０００６】
【特許文献１】特開平１１−２０８６７号公報
【特許文献２】特開平１０−２４９６６号公報
【考案の概要】
【考案が解決しようとする課題】
【０００７】
本考案は上記のような問題点を解決して、簡単な構造であり、しかも食品等を外気と完全に遮断して密封保存することができ、また蓋体の開閉操作も簡単に行うことができ、更には透孔の開閉状態も簡単かつ確実に認識することができる密封式保存容器を提供することを目的として完成されたものである。
【課題を解決するための手段】
【０００８】
上記課題を解決するためになされた本考案の密封式保存容器は、容器本体と、この容器本体の開口部を密閉する蓋体とからなり、蓋体の下面周縁部にはシール材保持部が垂設され、このシール材保持部の外周に容器本体の開口部に密着するシール材が装着された密封式保存容器であって、前記蓋体には凹部が形成され、この凹部の底部に通気用の透孔が設けられているとともに、この透孔が前記凹部の内部に収納されて透孔を密封する状態と、凹部の外側へ起立して透孔を開口する状態の２態様を採るよう凹部内に回動自在に取り付けられた孔密封部材により開閉自在とされていることを特徴とするものである。
【０００９】
前記孔密封部材の下面に、弾性材料からなり透孔に挿入されて孔を密閉する挿入片部が装着してあるのが好ましく、これを請求項２に係る考案とする。
【００１０】
また、孔密封部材が凹部の内部に収納されて透孔を密封する状態において、凹部に指先挿入用の空間部が形成されているのが好ましく、これを請求項３に係る考案とする。
【００１１】
また、前記孔密封部材の先端部下面に、挿入した指先が当接する傾斜部が形成してあるのが好ましく、これを請求項４に係る考案とする。
【００１２】
また、前記孔密封部材は後端部側面に設けた軸部を、凹部の側壁に設けた軸受け部に枢着させることにより回動自在としてあるのが好ましく、これを請求項５に係る考案とする。
【００１３】
また、前記孔密封部材の側面前方に設けた係合用突部を、凹部の側壁に設けた垂直溝部に係合させることにより、孔密封部材を凹部の内部に収納したときに、孔密封部材が後方側へ押された状態となるよう構成されているのが好ましく、これを請求項６に係る考案とする。
【考案の効果】
【００１４】
請求項１に係る本考案では、蓋体に形成した凹部の底部に通気用の透孔が設けられており、この透孔が前記凹部の内部に収納されて透孔を密封する状態と、凹部の外側へ起立して透孔を開口する状態の２態様を採るよう凹部内に回動自在に取り付けられた孔密封部材により開閉自在とされている構造としたので、透孔の開閉を容易に行うことができ、また孔密封部材の外観を見て透孔の開閉状態を即座に確認することが可能となる。しかも、孔密封部材が凹部内に収納された状態では、孔密封部材の上面が天板と面一となっているので、使い勝手がよく、デザイン的にも優れたものとなる。
【００１５】
請求項２に係る考案では、孔密封部材の下面に、弾性材料からなり透孔に挿入されて孔を密閉する挿入片部が装着してあるので、透孔の密封を確実に行うことができる。
【００１６】
請求項３に係る考案では、孔密封部材が凹部の内部に収納されて透孔を密封する状態において、凹部に指先挿入用の空間部が形成されているので、孔密封部材の回動操作がやりやすくなる。
【００１７】
請求項４に係る考案では、密封部材の先端部下面に、挿入した指先が当接する傾斜部が形成してあるので、指の引っかかりに優れ孔密封部材の回動操作がやりやすくなる。
【００１８】
請求項６に係る考案では、孔密封部材の側面前方に設けた係合用突部を、凹部の側壁に設けた垂直溝部に係合させることにより、孔密封部材を凹部の内部に収納したときに、孔密封部材が後方側へ押された状態となるよう構成されているので、密封状態が確実に保持されることとなり、また密封部材の開閉操作を節度感のあるものとすることができる。
【図面の簡単な説明】
【００１９】
【図１】本考案の実施の形態を示す断面図である。
【図２】図１の斜視図である。
【図３】透孔を開口した状態を示す斜視図である。
【図４】透孔を密封した状態を示す蓋体の断面図である。
【図５】透孔を開口した状態を示す蓋体の断面図である。
【考案を実施するための形態】
【００２０】
以下に、図面を参照しつつ本考案の好ましい実施の形態を示す。
図１は、蓋を閉めた状態を示す断面図、図２は図１の斜視図であり、図３は透孔を開口した状態を示す斜視図である。また、図４は透孔を密封した状態を示す蓋体の断面図、図５は透孔を開口した状態を示す蓋体の断面図である。
図において、１はポリプロピレン樹脂等からなる容器本体、２は同じくポリプロピレン樹脂等からなる容器本体１の開口部を密閉する蓋体である。また、この蓋体２の下面周縁部には筒状のシール材保持部３が垂設されているとともに、該シール材保持部３の外周には、弾力性を有するゴムや熱可塑性エラストマー等からなり、前記容器本体１の開口部内周面に密着するよう水平に張り出した密着用のシール材４が装着されている。
【００２１】
前記蓋体２の天板２ａには凹部５が形成され、この凹部５の底部には通気用の透孔６が設けられている。そして、この透孔６は前記凹部５の内部５に収納されて透孔６を密封する状態と、凹部５の外側へ起立して透孔６を開口する状態の２態様を採るよう凹部内に回動自在に取り付けられた孔密封部材７により開閉自在とされている。
前記通気用の透孔６は、蓋を閉める際には容器内部の空気を外部へ漏洩させ、また、蓋を開ける際には容器内部と外部とを連通させて蓋体２の開閉を容易にするためのものであり、従来から公知である。しかしながら、従来技術では通気用透孔の開閉は、スライド移動式やダイヤル式の孔密封部材により行っており、スムーズな操作性を得ることが難しく、また完全な気密性を確保することも困難であった。
これに対し本考案では、この透孔６を回動自在な孔密封部材７の簡単な操作により開閉自在とした構造となっており、透孔６の連通状態・気密状態の切り替えをこの孔密封部材７の引き上げ・押し込み操作のみで簡単かつ円滑に行える構造となっている。
【００２２】
図示のものでは、前記凹部５は平面視が先端部を円弧状とした略長方形状であり、この凹部５に板状の孔密封部材７が収納可能に取り付けられている。この孔密封部材７は、後端部の左右側面に設けた軸部８を、凹部５の側壁に設けた軸受け部に枢着させることにより回動自在な構造とされている。
これにより、孔密封部材７を回動すると、凹部５の内部に収納されて透孔６を密封する状態と、凹部５の外側へ起立して透孔６を開口する状態の２態様を採ることができ、孔密封部材７の外観を見て透孔６の開閉状態を即座に確認することが可能となる。しかも、孔密封部材が凹部内に収納された状態では、孔密封部材７の上面が蓋体２の天板と面一となっているので、デザイン的にも優れたものとなる。なお、孔密封部材７に軸受け部を設け、凹部５の側壁に軸部を設けてもよいことは勿論である。
【００２３】
また、孔密封部材７の下面には、合成ゴムやエラストマー樹脂等の弾性材料からなり前記透孔６に挿入されて孔を密閉する挿入片部９が装着してあり、透孔６の密封を確実に行うよう構成されている。
更に、孔密封部材７が凹部５の内部に収納されて透孔６を密封する状態において、凹部５に指先挿入用の空間部１０が形成されるよう構成されていて孔密封部材７の回動操作をやりやすくしており、また、密封部材７の先端部下面には、挿入した指先が当接する傾斜部７ａが形成してあり、指の引っかかりがよくて孔密封部材７の回動操作がしやすいようになっている。
【００２４】
更に、孔密封部材７の側面前方には係合用突部１１が設けられ、一方、凹部５の側壁には直線状の垂直溝部１２が設けられ、この係合用突部１１と垂直溝部１２を係合させることにより、孔密封部材７を凹部内に収納したときに、孔密封部材７が後方側へ押された状態となるよう構成されている。
即ち、孔密封部材７は軸部８を中心に円弧運動する一方、係合用突部１１は側壁の垂直溝部１２に案内されて移動するため、孔密封部材７を回動して凹部内に収納すると係合用突部１１の円弧状軌跡は垂直溝部１２の直線状軌跡に強制的に修正されることとなり、この結果、孔密封部材７は後方側へ押された状態となる。これにより、孔密封部材７が勝手に起立することがなく密封状態が確実に保持されることとなり、また密封部材７の開閉操作も節度感のあるものとすることができる。
【００２５】
次に、以上のような構成からなる密封式保存容器の蓋の開閉操作について説明する。
先ず、蓋体２を開いて容器本体１内に食料などの被保存物（図示せず）を収納し、次いで蓋体２を閉じる。この時、蓋体２の孔密封部材７は、図３に示されるように、透孔６が通気状態となるように凹部の外側へ起立して透孔を開口する状態としておくのを基本とする。
これにより、蓋体２の圧入により加圧された容器本体１内の空気は、前記透孔６を通じて外部へ漏洩し、大気圧状態を保つこととなる。また、蓋体２の押し込みも圧縮空気による抵抗がないため、スムーズに行うことができる。
【００２６】
次に、図２に示されるように、孔密封部材７を回動し凹部５の内部に収納されて透孔６を密封した状態とする。この状態では、挿入片部９が透孔６に挿入されて孔を密閉するので確実に機密性を保持することとなる。また、この蓋体２の下面周縁部に装着した弾力性を有するシール材４と容器本体１の開口部内周面とが完全に密着しているので、この部分における気密性も確実に保証されている。
【００２７】
以上のように、容器内に被保存物を外気と遮断した気密状態で収納した後は、この容器を冷蔵庫で冷蔵保管したり室内で常温保管したりする。この保管中において、蓋を開けようとして蓋体２を引き上げると、シール材４の弾力性により若干だけ蓋体２が持ち上がるが、内部は気密性が保持されているので、内部の体積膨張分だけ僅かに負圧状態となり、蓋体２を引き戻そうと作用する。従って、この負圧に逆らって開蓋するには相当に大きな力が必要で、開蓋されることはない。また、この容器を落下させたりした場合にも開蓋することはないので、被保存物が散乱することもない。
【００２８】
次に、蓋を開く場合は、凹部５の指先挿入用の空間部１０に指を入れて孔密封部材７を回動させ、凹部の外側へ起立した状態として透孔６を通気状態とする（図３）。これにより、容器の内外が連通して大気圧状態となるので、蓋体２の引き上げは簡単に行えることとなる。また、孔密封部材７を回動させる際、孔密封部材７が後方側へ押されている弾発力に反して回動するので、孔密封部材７の開閉操作を節度感のあるものとすることができる。
なお、以上の説明においては、透孔６が通気状態として蓋閉めを行う場合について説明したが、透孔６を密閉した状態として蓋閉めを行うことも勿論可能である。
【００２９】
以上の説明からも明らかなように、本考案は食品等を外気と完全に遮断して密封保存することができ、また蓋体の開閉操作も簡単に行うことができることは勿論のこと、透孔の開閉の有無を孔密封部材が凹部内に収納されているか、外側へ起立しているかの外観状態で簡単かつ確実に認識することができるため見誤ることもなく、使用勝手に優れたものとなる。
【符号の説明】
【００３０】
１  容器本体
２  蓋体
２ａ  天板
２ｂ  溝部
３  シール材保持部
４  シール材
５  凹部
６  透孔
７  孔密封部材
７ａ  傾斜部
８  軸部
９  挿入片部
１０  空間部
１１  係合用突起
１２  垂直溝部
【図１】
0003151039.tif 000003
【図２】
0003151039.tif 000004
【図３】
0003151039.tif 000005
【図４】
0003151039.tif 000006
【図５】
0003151039.tif 000007